(57)【特許請求の範囲】
【請求項１】
外周面まわりに第１の幅と第１の深さの第１溝（８ｂ）を有する第１ドラム（２）と；
外周面まわりに第１の幅より大きい幅の受け溝（１４ｂ）を有する第２ドラム（４）と；および
第１ドラム（２）の第１溝（８ｂ）に位置し、第１の高さに第１ドラム（２）の外周から半径方向外方に突出する第１弾性リング（２４）とを備え、
第１と第２ドラム（２，４）とがそれらの軸心が平行となるよう互いに近接して配されるとき、第１ドラム（２）から突出する第１弾性リング（２４）が、第２ドラム（４）の受け溝（１４ｂ）内に存し、第１と第２ドラム（２，４）間に送られた紙に折目をつけることを特徴とする折目つけ装置。
【請求項２】
第１ドラム（２）が、第１の深さより短い第２の深さの浅い溝（８ａ）を有し、弾性リング（２４）が浅い溝（８ａ）内に配されたとき、弾性リング（２４）が第１の高さより大きい第２の高さに第１ドラム（２）の面から突出する請求項１記載の折目つけ装置。
【請求項３】
第１ドラム（２）が、第１の幅より小の第２の幅の狭い溝（１２ｂ）を有し、折目つけ装置が、さらに、第１ドラム（２）の狭い溝（１２ｂ）内に配されかつ第１弾性リング（２４）より狭い第２弾性リング（２８）を有し、第２弾性リング（２８）が第１ドラム（２）の外面から半径方向外方に突出する請求項１又は２記載の折目つけ装置。
【請求項４】
さらに、第１ドラム（２）の外周面まわりに形成されたチャンネル（２０）を有し、該チャンネルが溝（８，１０，１２）内に弾性リング（２４，２６，２８）が配されないとき、該弾性リング（２４，２６，２８）を保持する請求項３記載の折目つけ装置。
【請求項５】
第１ドラム（２）の各溝（８，１０，１２）のために、第２ドラム（４）が、対応する軸心位置に、大きい幅の受け軸（１４，１６，１８）を有する請求項２乃至４のいずれかに記載の折目つけ装置。
【請求項６】
第２ドラム（４）が、軸心方向へ、第１ドラム（２）に対して第２ドラム（４）を位置づける装置を有する請求項５記載の折目つけ装置。
【請求項７】
弾性リング（２４，２６，２８）の断面がリングの軸心方向よりリングの半径方向で厚くなっている請求項１乃至６のいずれかに記載の折目つけ装置。
【発明の詳細な説明】
【０００１】
【発明の属する技術分野】
本発明は、紙やカードを折る前に、紙やカードに折目を入れる折目つけ装置に関する。
【０００２】
【従来の技術】
本のカバーやグリーティングカードのような印刷した多くの原材は、次の作業の折り工程の前に折目をつけておく必要がある。
【０００３】
折目つけの常法は上側ドラムと対の下側ドラムとの間に紙を送る工程を含む。金属製のディスク（円板）が、上側ドラムに固定されかつ上側ドラムの外周面まわりに半径方向外方に僅かに突出する。２個の下側ドラム同心に配されかつ両ドラム間に狭い隙間を作るよう僅かに離間されている。上側ドラムから突出するディスクが２個の下側ドラム間の隙間に位置する。上側と下側ドラムが反対方向に回転しかつ紙が両ロール間に送られると、突出しているディスクが隙間の内へと紙を強制し、紙を所望の折目線に変形させる。
【０００４】
【発明が解決しようとする課題】
この方法は上側ドラムへの金属製ディスク（円板）の取付けに手間がかかるという不利な点がある。２個の下側ドラム間を正しく離間させかつディスクと隙間とを正しく一致させることは作業の成功に重要でありかつ技術を要する作業である。又、金属製のディスクは紙を傷め、特に、その縁で紙を裂くことになる。
【０００５】
ごく僅かな数、印刷所は、折目つけ作業をなすため家内設備をもつ。たとえば、中堅の印刷所は専門の印刷仕上業者に処理されようとする折目作業を規則的に委託している。
【０００６】
とはいえ、多くのこの仕事はギロチンにて所望寸法に紙を切り、次いで、紙折り機により次の作業をなす（多くの印刷所に共通する）。これらの作業の実施はコストに含まれるが、長く待たされ時間のかかるこの工程は、しばし、顧客への納品に遅れを作りかつコストを高める。
【０００７】
【課題を解決するための手段】
本発明は、種々の幅と深さの溝を有し、ゴム製のＯーリング又は挿入体を保持するためのドラム状のオス成分を含む折目つけ装置である。メス成分は、溝が僅かに幅広くかつ深いということを除いて、オス成分にほぼ等しい。ユニットの頂部と底部のシャフトに固定され、オス成分の１つのＯーリング又は挿入体がメス成分の溝と一致するとき、ドラム間に送られた紙が溝内に紙を強制し、Ｏーリングや挿入体の圧により折目づけられる。
【０００８】
本発明によれば、従来技術の項で記述した特別の工程を削除できる。通常使用されている折目つけ機の第１ユニットは折目つけ工程をなすようオスとメス成分を装架するようになっている。オス成分上に異なるＯーリングや挿入体および/又は異なる溝を用いることにより、装置は異なって厚みの紙に異なった幅と深さの折目をすばやく容易に形成させ得る。メス成分中の溝はオス成分内の対応Ｏーリングや挿入体と自動的に一致する。
【０００９】
ゴム製のＯーリングや挿入体は紙をやさしく扱いかつ公知の金属製のディスクより紙の破れを少なくする。硬質ゴムや同様の弾性材料が摩耗を避けるために選ばれる。一旦摩耗したら、リングが迅速にかつ容易に取替えできる。
【００１０】
【発明の実施の形態】
図１はメス成分４と並ぶオス成分２を示す。各成分はシャフトへの装備のためにその軸心（図示なし）に沿う円筒形の孔（ボア）を有す。成分はシャフトにスクリュー６を用いて固定される。図２にみられる如く、メス成分の面はその周面まわりに溝を有す。図示の如く、対の幅（たとえば、１−５ｍｍ）の溝８ａ，８ｂ、対の中間の幅（たとえば、１ｍｍ）の溝１０ａ、１０ｂおよび対の狭い幅（たとえば、０．５ｍｍ）の溝１２ａ，１２ｂがある。各対の溝の１つの溝８ａ，１０ａ，１２ａが他の溝８ｂ，１０ｂ，１２ｂより浅くなっている。
【００１１】
メス成分はオス成分の溝と一致する一組の溝を有する。かくして、対の幅の溝１４ａ，１４ｂ、対の中間の幅の溝１６ａ，１６ｂおよび対の狭い溝１８ａ，１８ｂがある。メス成分上の各溝はオス成分上の対応溝より幅広くかつ深い。メス成分上の溝は全て同じ深さである。
【００１２】
図１は全ての溝に同時にＯーリングを備えているオス成分を示す。実際には、１つのＯーリングを用いよう。不使用のＯーリングがチャンネル２０内に保管できる。メス成分にもチャンネル２０が示される。これは、Ｏーリングの保管のために必要なく、削除でき、又オスとメス成分を整列するため有用であるランド２２を確定させるようにしてもよい。
【００１３】
図示した装置において、オス成分２内に３個の対の溝８，１０，１２の幅に相当する３個のＯーリング２４，２６，２８がある。各溝の深さは、Ｏーリングをその溝内に配したとき、Ｏーリングがオス成分の面より突出する。Ｏーリングが各対の浅い溝内にあるとき、その面よりさらに突出する。断面円形のＯーリングは最も狭い溝に適さない。何故なら、溝は、面より突出させるため、Ｏーリングについて極端に浅くしなければならない。代わりに、ワッシャーのようなより平らな弾性挿入体が使用され得る。
【００１４】
作業において、折目の所望の幅は適当なＯーリングを選択しかつオス成分上の対応の対の溝の１つの内にＯーリングを置くことにより決められる。溝とＯーリングとは、その組合せを容易にするため色で記号化される。折目の所望の深さは対の溝の深い方又は浅い方の何れか１つを選ぶことにより決められる。
【００１５】
オスとメス成分はシャット上に装着され、もし必要なら、ランド２０を用い整列させられる。それらは、図１に示したよりより近接して配され、オス成分２のＯーリングがメス成分４の溝内で受け入れられる。
勿論、Ｏーリングと溝の幅を異にさせ、各幅に適した溝の深さとさせ得る。
【図面の簡単な説明】
【図１】  図１はＯーリングを備えるオス成分とこれと整列したメス成分とを示す。
【図２】  図２はＯーリングをつけていないオス成分を示す。
【図１】
0004431771.tif 000002
【図２】
0004431771.tif 000003